Podtech/llm-jp-corpus-v4-ja_patent huggingface dataset:
(57)【要約】
【課題】本考案は、自転車のサドルの座席を、一時停止時や急停止時に楽に両足が着地できるようにして、不安定な片足立ちによる疲労感を緩和するとともに転倒を防止し、特に子供や高齢者の転倒による大事故を防止する。
【解決手段】本考案は自転車のサドル本体１の座席部分を、走行に楽な高さが必要とされる走行時に座るための座席後部３と、停止時に座るための座席前部２とからなるものにし、座席前部２の位置の高さに合わせてサドル本体１を自転車のフレームに装着することとして、停止時に楽な姿勢で両足を着地できるように座席前部２を座席後部３より低くして段差をつけ、またサドル支持枠６をシートポスト７の接合部分より後方の部分で斜め上方に曲げてから水平にし、座席後部３を支えるばね８の基点にすることによってサドル本体１を安定化させる。
【選択図】　図１
0003100233.tif 000002
【実用新案登録請求の範囲】
【請求項１】
自転車サドルの座席において、一時停止時や急停止時に座るための座席前部と、それより高い位置にした走行時に座るための座席後部とで段差をつけるとともに、この座席後部を支えサドル本体を安定化するためのサドル支持枠を設け、これによって、座席前部が両足で着地できる高さになるように当該サドルを自転車のフレームに装着することとして、走行時には走行しやすい高さの後部座席で走行し、停止時には座席前部に移って両足を着地して停止することが可能となり、停止時の不安定な片足のつま先立ちを原因とする疲労感の緩和だけでなく、転倒の防止、特に子供や高齢者の転倒を原因とする大事故の防止という安全性の確保を特徴とした段差座席付自転車サドル
【考案の詳細な説明】
【技術分野】
【０００１】　本考案は、座席部分を座席前部と座席後部とで構成して両者の間に段差をつけるとともに、当該座席後部を支えるためのサドル支持枠を設けた自転車のサドルに関するものである。
【背景技術】
【０００２】　従来の自転車のサドルは座るところが全体的に平面な形状であり、走行時の高さに合わせて固定されているため、大部分の自転車の利用者は一時停止時や急停止時に座席から降りることなく片足のつま先立ちで着地して無理な姿勢で停止し、疲労を覚えるばかりでなく転倒をすることもあった。
【考案の開示】
【考案が解決しようとする課題】
【０００３】　これまでのサドルは、大部分の自転車の利用者がサドルの高さを走行しやすい高さに固定し、信号待ちなどの一時停止時や急停止時に当該サドルに座ったまま無理な姿勢で片足のつま先立ちをしているため、疲労感を増幅させるばかりでなく、転倒の原因にもなり、特に新聞報道されているように、子供や高齢者の急停止時の転倒による大事故の原因にもなっていて、これらの問題の解決が迫られている。本考案は一時停止時には楽な姿勢に入ることができて疲労を緩和させ、急停止時にはすぐに安全な姿勢に入ることができて転倒による事故を防止できるように、どんな停止時にも片足のつま先立ちではなく両足で着地して転倒を防ぐことができるような自転車のサドルを提供することを目的とすることにより、前述の問題点を解決しようとするものである。
【課題を解決するための手段】
【０００４】　本考案は自転車のサドル本体の座席部分において、一時停止時や急停止時に座るための座席前部と、それより高い位置にして段差をつけた走行時に座るための座席後部からなるものとし、その段差の大きさを、停止時に座席前部に座って両足が楽に着地できる高さにサドル本体を自転車のフレームに装着することを前提にして、走行には、これより高い位置の座席のほうが走行しやすいことから、走行時に体を斜め後方に上方移動しながら後部座席に移って走行しやすい姿勢になるときの座席前部と座席後部との差とし、且つ、サドル本体を安定化するものであればいかなるものでもよいが、具体的には、例えば当該サドルのサドル支持枠を当該サドルとシートポストとの接合部分の後方で上方に曲げてから水平にして後部座席を支えやすくすることにより課題を解決している。
【考案の効果】
【０００５】　上述のように、本考案のサドルの座席を、全体的に平らなものではなく、停止時に座るための座席前部と走行時に座るための座席後部とで段差をつけ、サドル本体を座席前部が停止時に両足が着地できる位置になるように自転車のフレームに装着することから、停止時には走行中に座っていた座席後部から座席前部に移り、特に急停止時には慣性の法則による体の前方移動によって容易に座席前部に移って、両足を楽に着地できるようになり、停止時に片足のつま先立ちをしていたときに比べ、疲労感が緩和されると同時に、信号待ちや急な停止時などの片足のつま先立ちによる転倒の危険も減少し、特に子供や高齢者の転倒による大きな事故の防止に役立ち、また走行時には座席後部に座って楽な姿勢で走行できるとともに、走行開始時には、より高い位置の座席後部に移りながらのペダル操作になることから、ペダルをより強く踏み込むことが可能になった。
【考案を実施するための最良の形態】
【０００６】　サドル本体１の座席を、平らなものではなく、座席前部２と座席後部３からなるものにして両者の間に段差をつけ、座席前部２は停止時に移って両足を楽に着地して座るためのものにし、座席後部３は走行時に楽な姿勢でペダルを踏めるように座席前部２より高くする。この段差の大きさについては、サドル本体１の自転車のフレームへの装着に際して座席前部２を両足が着地できる高さにすることに伴い、走行開始時に片足をペダルにかけて、停止時の姿勢から斜め後方に上方移動し、座席後部３に座りながら走行しやすい走行姿勢に入るという動作になることから、ペダルの片方を鉛直下方にしたときのペダルの位置と地面との差の大きさを目安とするが、利用者のために段差の小さいものから大きいものまで何段階かに分けて数種類の大きさのものにしてもよい。また、座席後部３を座席前部２より高くすることから、当該サドル本体１を安定化するものであればいかなるものでもよいが、具体的には、例えばサドル支持枠６をサドル本体１とシートポスト７の接合部分より後方のところで、座席後部３に合わせて斜め上方に曲げてから水平にして座席後部３を支えるばね８の基点とすることによって、サドル本体１を安定化させる。
【実施例】
【０００７】　以下、添付図面に従って一実施例を説明する。４は金属板等適宜素材に、サドルの座席部分として、ペダルの片方を鉛直下方にしたときのペダルの位置と地面との差だけ座席後部３を座席前部２より高くし、段差をつけて形成したサドルベースで、５はこのサドルベースを覆ったサドルカバーである。【０００８】　６はサドル本体１とシートポスト７との接合部分の後方で、座席前部２と座席後部３との段差の大きさに合わせて、斜め上方に曲げてから水平にしたサドル支持枠で、座席後部３を支えるばね８の基点にもなり、サドル本体１を安定化している。
【図面の簡単な説明】
【０００９】
【図１】　　本考案の段差座席付自転車サドルの一実施例を示した斜視図である。
【図２】　　本考案の段差座席付自転車サドルの一部切欠断面図である。
【符号の説明】
【００１０】　　１　サドル本体
　　２　座席前部
　　３　座席後部
　　４　サドルベース
　　５　サドルカバー
　　６　サドル支持枠
　　７　シートポスト
　　８　ばね
【図１】
0003100233.tif 000003
【図２】
0003100233.tif 000004
(57)【要約】　　　（修正有）【課題】オーディオ信号やパソコンからダウンロードした信号を増幅してスピーカやミニディスクへの出力を可能とする。【解決手段】パソコンや複数の音楽装置とミキサーアンプとによりオーデオ信号をパワーアンプに送り、スピーカを鳴らしたり、ミニディスク等に録音出来るようにする。【選択図】図１
0003100250.tif 000002
【実用新案登録請求の範囲】
【請求項１】
　テレビ音声信号、テープ、ＣＤ．ＭＤ。音声信号等を入力源とし、音声調整用ボリュームを、通してプリアンプＬＰ３２４，ＬＭ３２４ＡＭ，を通して、マイク入力の信号源より音声信号を入力してミックスさせ、パワーアンプＴＡ８２２３Ｋ．及び　ＴＡ８２１０ＡＨに於いて、７．５Ｗ−２０Ｗの出力を得て、スピーカー３２Ｗを鳴らし、及び端子にＭＤ録音入力端子をつけた物である。
【考案の詳細な説明】
【技術分野】
【０００１】本考案は、アンプでオーデオ信号及びパソコンよりダウンロード信号等の為の目的のアンプでＭＤミニデスクに録音可能にした物である。
【背景技術】
【０００２】従来から電子楽器及びマイクロホン入力などの複数の音楽装置からのオーデオ信号をミキシングして出力するミキサー装置はよく知られている。信号をパワーアンプに入力して、スピーカーを鳴らして出力端子として、ＭＤミニデスクに録音可能にした物である。
【考案が解決しようとする課題】
【０００３】パソコン等からオーデオ信号をダウンロードして、マイク信号をミキサーでミュクスして出力してパワーアンプで増幅して、スピーカーを鳴らして、ＭＤミニデスクに録音可能にした物である。
【課題を解決するための手段】
【０００４】プリアンプに於いて、オーデオ信号とマイク信号をミックスして合成して、その信号をパワーアンプにて増幅してスピーカーを鳴らして出力端子にＭＤミニデスクに録音可能にした物である。
【考案の効果】
【０００５】本発明によればオーデオプリアンプで複数の音楽装置のオーデオ信号とマイク入力信号をミックスしてパワーアンプに信号を送り信号を増幅してスピーカーを鳴らし、又端子にＭＤミニデスク入力端子により録音可能にした物である。
【考案の実施するための最良の形態】
【０００６】プリント基板上にプリアンプＩＣを配置して、パワーアンプＩＣを配置して、プリント基板２枚にて設計製作した物で、出力端子にＭＤミニデスク録音端子を配置形態である。
【図面の簡単な説明】
【０００７】
【図１】パソコンのオーデオ信号をマイク入力信号とプリアンプで合成して、出力してパワーアンプで増幅してスピーカーで鳴らして、出力端子にＭＤミニデスクに録音可能にした物の図面である。
【０００８】
【図２】プリント基板の裏側パターンで有る。
【符号の説明】
【０００９】　１　全体配線図
　２　プリントパターン図
【図１】
0003100250.tif 000003
【図２】
0003100250.tif 000004
(57)【要約】
【課題】丸棒の接地棒に四面部と、四面部対辺寸法より大きい円筒部を設け、引き抜き工具を装着できる組み合わせ接地棒に関するものである。
【解決手段】丸棒（１）の上部に四面部（２）と四面部の対辺寸法より大きい円筒部（３）を設け、四面部（２）に凹部をもった引き抜き工具（４）と組み合わせた接地棒。
【選択図】図１
0003100246.tif 000002
【実用新案登録請求の範囲】
【請求項１】
丸棒（１）の上部に四面部（２）と四面部の対辺寸法より大きい円筒部（３）を設け、四面部（２）に嵌合する凹部のある、引き抜き工具（４）と組み合わせた接地棒。
【考案の詳細な説明】
【考案の詳細な説明】
【０００１】
【技術分野】
【０００２】この考案は、接地棒の埋設及び、その撤去作業の効率化に関するものである
【背景技術】
【０００３】従来、丸棒の接地棒はあったが、無線基地などの仮設、撤去の時、とくに撤去時に埋設された接地棒の引き抜き作業が、困難で非効率であった。
【考案が解決しようとする課題】
【０００４】本案は、撤去時の困難さ、非効率の欠点を除き解決するものである。
【課題を解決するための手段】
【０００５】いまその解決手段を図面によって説明する。
（イ）丸棒（１）の上部に四面部（２）、四面部対辺より大きい円筒部（３）を設ける。
（ロ）引き抜き工具（４）を四面部（２）に嵌合して引き抜きを容易にする構造である。
以上の構成からなる、組み合わせ接地棒。
【考案を実施するための最良の形態】
【０００６】以下、本考案の実施の形態について説明する。
引き抜き作業において、接地棒の四面部（２）に引き抜き工具（４）を装着し、引き抜き工具（４）を回転させて、上の方に引き抜く形態である。
【考案の効果】
丸棒の接地棒に、四面部と四面部対辺より大きい円筒部を設けることで、引き抜き工具を使用すれば短時間で、かつ簡単に引き抜くことができる。
【図面の簡単な説明】
【図１】本考案の正面図
【符号の説明】
（１）丸棒
（２）四面部
（３）円筒部
（４）引き抜き工具
【図１】
0003100246.tif 000003
(57)【要約】　　　（修正有）【課題】従来、配管内でのストレーナー式異物混入防止装置で濾過孔の目詰まりを防ぐ機能を追加するには、回転させる動力、及び、回転させる機材が必要であった。本考案は、電気等他の動力を使用せず、今までの配管となんら変わりないスペースが実現された配管内蔵式のストレーナー式異物混入防止装置を提供するものである。【解決手段】流動力応用式異物混入防止装置は、配管内を流れる流動体の、流速及び圧力差を利用して多段式プロペラ５を回転させ、同軸で接続した異物除去羽根３が回転して、ストレーナー濾過孔の目詰まりを防ぎ、流動体への固形状異物混入を防ぐものである。【選択図】図１
0003100242.tif 000002
【実用新案登録請求の範囲】
【請求項１】
配管内を移動する流動体の固形状異物混入防止を、他の動力を使用せず行うことを特徴とする流動力応用式異物混入防止装置。
【考案の詳細な説明】
【０００１】
【考案の属する技術分野】
本考案は、味噌等のペースト類、醤油、ジュース、酒等の液体の食品から、塗料等まで、配管内を移動する流動体の固形状異物混入防止に関する。
【０００２】
【従来の技術】
従来、配管内での異物混入防止方法としては、配管出口、又は、外部装置として単独に、無数の孔を有するストレーナーネットを配置し、孔を通過することなく停滞した固形状異物を、人力又は電気等他の動力により回転している異物除去羽根でどかし、孔の目詰まりを防ぎながら行うものが知られている。
【０００３】
【考案が解決しようとしている課題】
しかしながら、単に流動体を通過させるだけでは、すぐに目詰まりをおこしてしまうという欠点。目詰まりを防ぐためには、電気等他の動力を使用しなければならないという欠点。モーター等を配置して、軸を回転させるとすれば、余計な設置スペースが必要となるという問題点がある。
【０００４】
【課題を解決するための手段】
本考案は、配管内部に装置を設置し、配管内の流動体の流速及び圧力差を利用して動力用プロペラを回転させる。軸により連結した異物除去羽根も同時に回転し、ストレーナーネット面に停滞した固形状異物を、目詰まりさせず、常に孔から排出し続け、異物混入防止を実現し、長時間の連続運転をも可能とし、上記課題を解決するものである。
【０００５】
【実施例】
図に示すように、配管９内を流れる流動体は、流速及び圧力差を伴い配管９内を進む。この配管９内を流れる流動体の流速及び圧力差により、多段式プロペラ５が回転運動をする。
【０００６】
流れる流動体は、多段式プロペラ５を回転させながらテーパー式ストレーナーネット６を通過していく。
【０００７】
流動体内に混在する固形状異物が流れ込むと、無数の濾過孔を有するテーパー式ストレーナーネット６に固形状異物は停滞し、孔を塞ぎ、流動体の流れが悪くなる。
【０００８】
多段式プロペラ５と同軸で接続した異物除去羽根３は、共に回転し、塞がれた孔の固形状異物が取り除かれる。
【０００９】
固形状異物が取り除かれた孔からは、再び流動体が通過し、スムーズな流れが保たれる。この動作を繰り返し、配管９内のスムーズな流れを保ちながら流動体は、テーパー式ストレーナーネット６を通過していく。
【００１０】
【考案の効果】
本考案に係る、流動力応用式異物混入防止装置は、配管内を流れる流動体の、流速及び圧力差を利用して多段式プロペラを回転させ、同軸上に配置された異物除去羽根で、テーパー式ストレーナーネットの濾過孔の目詰まりを防ぐことにより、固形状異物混入防止の効果がある。また、配管自体が、流動力応用式異物混入防止装置となるため、スペース上の問題も配管自体と何ら変わりないものとなり、電気等他の動力を使用せず、小スペースが実現されている。
【図面の簡単な説明】
【図１】流動力応用式異物混入防止装置の本体側面断面図である。
【符号の説明】
１・・・取り付けフランジ
２・・・回転視認軸
３・・・異物除去羽根
４・・・軸受け
５・・・多段式プロペラ
６・・・テーパー式ストレーナーネット
７・・・ストレーナー本体固定金具
８・・・掃除口フランジ
９・・・配管
【図１】
0003100242.tif 000003
【手続補正書】
【提出日】平成15年9月22日(2003.9.22)
【手続補正１】
【補正対象書類名】明細書
【補正対象項目名】実用新案登録請求の範囲
【補正方法】変更
【補正の内容】
【実用新案登録請求の範囲】
【請求項１】
配管内を移動する流動体に含まれる固形状異物の混入防止を同一配管上で、且つ他の動力を付加せず、流動体の流速を伴う運動エネルギーが軸流羽根面上を移動するときに機械的動力に変換されることを利用し、軸流羽根である多段式プロペラと同一軸上に配置した目詰まり防止用の異物除去羽根をストレーナー内面で回転させ、ストレーナーの目詰まりを防止させることを特徴とする流動力応用式異物混入防止装置。
(57)【要約】
【課題】洗濯物が風により落下することを防止すると共に、カラスによるワイヤーハンガーの持ち去りをも防止することも可能とする。そして、１個のワイヤーハンガーに複数個の小物の洗濯物を吊し干すことができ、ワイヤーハンガーを有効に利用することができるワイヤーハンガー用ピンチを提供する。
【解決手段】ワイヤーハンガー固定用ピンチ１とワイヤーハンガー、洗濯物用固定用ピンチ２をナイロン糸３でつなぎ、ハンガーや洗濯物を固定できるようになっている。また、複数個のハンガーピンチをワイヤーハンガーに取り付け使用することでワイヤーハンガーの有効利用ができる。
【選択図】図１
0003100245.tif 000002
【実用新案登録請求の範囲】
【請求項１】
ワイヤーハンガーのワイヤー部分に取り付けることのできるピンチを２個つなぎ、風による洗濯物の落下や、カラスによるワイヤーハンガーの持ち去りを防止できる洗濯物用固定具である。
【請求項２】
１個のワイヤーハンガーに複数個の小物の洗濯物を干すことのできる請求項１の洗濯物用固定具である。
【考案の詳細な説明】
【技術分野】
【０００１】本考案はワイヤーハンガーに固定可能なピンチと、洗濯物を抑えたりワイヤーハンガーに固定したりできるピンチを組み合わせた洗濯物用固定具である。
【技術背景】
【０００２】従来のワイヤーハンガーに取り付け、利用するピンチを使った物には、ワイヤーハンガーにピンチを付けたフレームを取り付け、洗濯物を固定しようとする物がある。（例えば、特許文献１，特許文献２参照。）
【特許文献１】特開平２０００−１４９９３（図１）
【特許文献２】特開平９−２０１４９３（図１）
【考案の開示】
【考案が解決しようとする課題】
【０００３】風による洗濯物の落下や、カラスによるワイヤーハンガーの持ち去りがよく起こり、洗濯を行う際の障害になっている。また、無償で提供されるワイヤーハンガーは多数利用されているが、その多くが利用されずに捨てられている。そこで、資源の無駄を省くためにもワイヤーハンガーの有効な利用法を考案する。
従来のフレームを使った洗濯物用固定具は、フレームが大きすぎ、整理する際に収納が難しく、一回ごとに取り外さなくては整理しにくいという欠点があった。また、付属品として無償で手に入るワイヤーハンガーに取り付ける器具としては、製作に金銭がかかりすぎるという欠点も併せ持っていた。
【課題を解決するための手段】
【０００４】本考案はピンチを２個組み合わせた簡単な構造となっている。
【考案の効果】
【０００５】本考案により洗濯物が風により落下することを防止すると共に、カラスによるワイヤーハンガーの持ち去りをも防止することが可能となる。また、１個のワイヤーハンガーに複数個の小物の洗濯物を干すことができ、ワイヤーハンガーを有効にできる物である。
そして、本ワイヤーハンガー用ピンチは、製作する際に安価で仕上げることができるため、安価での提供が可能となるものである。さらに、本ワイヤーハンガー用ピンチは小さくかさばらないため、ワイヤーハンガーに取り付けたまま収納しても整理が容易におこなえるものである。
【考案を実施するための最良の形態】
【０００６】図１ワイヤーハンガー固定用ピンチ１の固定面はワイヤー部分の径と同じ溝をつけ固定後もずれないようにする。図１ワイヤーハンガー、洗濯物用固定ピンチ２の固定面にはワイヤー部分の径と同じ溝を十字につける。図１ナイロン糸３には柔軟で風雨にも劣化しにくいナイロン製の糸を使う。
【実施例】
【０００７】（イ）図１ワイヤーハンガー固定用ピンチ１をワイヤーハンガー上部に取り付け、図１ワイヤーハンガー、洗濯物用固定ピンチ２で洗濯物を固定し、風による洗濯物落下を防止する。
（ロ）図１ワイヤーハンガー固定用ピンチ１をワイヤーハンガー上部に取り付け、図１ワイヤーハンガー、洗濯物用固定ピンチ２をワイヤーハンガー先端部に取り付け、洗濯物を干さない場合のカラスのワイヤーハンガー持ち去りを防止する。
（ハ）図１ワイヤーハンガー固定用ピンチ１を複数個ワイヤーハンガー下部に取り付けることで、一つのワイヤーハンガーで複数の小物の洗濯物をつるし、干すことができる。
【図面の簡単な説明】
【０００８】
【図１】　本考案の斜視図である。
【符号の説明】
【０００９】１ワイヤーハンガー固定用ピンチ
２ワイヤーハンガー、洗濯物用固定ピンチ
３ナイロン糸
【図１】
0003100245.tif 000003
(57)【要約】　　　（修正有）【課題】ピック６の支えにより出来る死角を無くし、内部の観察を容易に出来る。【解決手段】レンズ３の中心に、レンズ３の焦点方向に焦点距離の長さのピック６を直接取り付け、従来のピック６の支えに当たる部分、すなわち視野を遮る物を無くし、死角を最小限に出来る為、容易に作業する事が可能であるレンズ３付きピック６。【選択図】　　図１
0003100247.tif 000002
【実用新案登録請求の範囲】
【請求項１】
レンズ（３）の中心に、レンズ（３）の垂直方向にピック（６）を固定した、シリンダー錠（７）用内部観察工具。
【考案の詳細な説明】
【考案の詳細な説明】
【技術分野】
【０００１】　この考案は車や家などのシリンダー錠（７）の修理時に内部を観察する場合に用いる工具に関するものである。
【背景技術】
【０００２】　現在、シリンダー錠の内部を観察する場合、図３の様にピック（６）と呼ばれる針の様に鋭利な道具をシリンダー内に挿入し、シリンダー内の視野を遮る部品を避け、シリンダー外部から内部を観察している。
【考案が解決しようとする課題】
【０００３】　シリンダー内部の観察時に、図３のピック（６）の支えの部分（Ａ）により死角が出来る為、シリンダー内部が観察しにくくなっている。
【課題を解決する為の手段】
【０００４】　その手段として、レンズ（３）の中心に、レンズ（３）の焦点方向に焦点距離の長さのピック（６）を直接取り付け、従来のピック（６）の支えに当たる部分（Ａ）、すなわち視野を遮る物を無くし、死角を最小限にする為、容易に作業する事が可能である。
【０００５】　またレンズ（３）に直接ピック（６）を固定せず、レンズ（３）の前に透明なプラスチックやガラスを取付、その部分にピック（６）を固定しても良い。
【考案を実施するための最良の形態】
【０００６】　次にこの考案の実施例を図１〜図２に基づき詳述すると、レンズ（３）の中心に焦点方向に針状のピック（６）を固定し、鏡筒（５）に入れ、レンズ押さえ（２）部によりレンズ（３）を固定し、また鏡筒（５）に取手（１）を取付け、持ちやすくしている。又レンズ押さえ（２）部を緩めることによりピック（６）の向きを自由に変える事が出来る。
【考案の効果】
【０００６】　レンズ（３）に直接ピック（６）を取り付る事により、従来のピック（６）の支えに当たる部分、すなわち視野を遮る物を無くす事が出来、レンズ（３）側からピック（６）の先端を見ることにより、最小限に死角を無くし、シリンダー内部を観察する事が可能である。
【図面の簡単な説明】
【０００７】
【図１】この考案の一実施例を示し、断面図である。
【図２】この考案の一実施例を示し、平面図である。
【図３】従来のピックによる作業図。
【符号の説明】
（１）取っ手
（２）レンズ押さえ
（３）レンズ
（４）Ｏリング
（５）鏡筒
（６）ピック
（７）シリンダー錠
【図１】
0003100247.tif 000003
【図２】
0003100247.tif 000004
【図３】
0003100247.tif 000005
(57)【要約】　　　（修正有）【課題】大型トラック等の燃料タンクの給油口から少しずつ漏れる油汚れや、給油時にこぼしてしまった時の汚れを防ぐ。【解決手段】燃料タンク３の給油口のまわりにドーナツ型の変形した受皿をはめ込み垂れた燃料を受け止め下に付けたホース２により排せつできるようにした。【選択図】　　図１
0003100241.tif 000002
【実用新案登録請求の範囲】
【請求項１】
燃料タンクの給油口から漏れる燃料を受け止め、取付けたホースを伝わり、ジュースの空き缶等何らかの容器で受け止めるようにする。
【考案の詳細な説明】
【０００１】
【考案が解決しようとする課題】
大型トラック等、燃料タンクが外に丸出しになっている車は、タンクの油染みのような汚れが見苦しいものである。これを洗車ブラシ等で洗おうとするとブラシが油だらけになり次からは使えなくなってしまうという問題点があった。
【０００２】
【課題を解決するための手段】
燃料タンクの給油口のまわりにゴム質の受皿をきつくはめ込む事によってタンクの表面の油汚れを防ぐことが出来る。また受皿の下にホースを付ける事により受皿に燃料が溜まる事なく排せつ出来る。
【０００３】
【考案の効果】
車が走行中ゆすられて給油口から燃料が染み出してタンクを汚すのを防ぎ、またガソリンスタンドで給油をした時に給油口付近に燃料をたらしてもホースを伝わり別の容器に溜める事が出来る。
【図面の簡単な説明】
【図１】燃料タンクに本考案を取付けた状態
【図２】本考案の断面図
【符号の説明】
１　考案本体
２　ホース
３　燃料タンク
【図１】
0003100241.tif 000003
【図２】
0003100241.tif 000004
【手続補正書】
【提出日】平成15年7月28日(2003.7.28)
【手続補正１】
【補正対象書類名】明細書
【補正対象項目名】実用新案登録請求の範囲
【補正方法】変更
【補正の内容】
【実用新案登録請求の範囲】
【請求項１】
燃料タンクの給油口から振動等で漏れる燃料を給油口の周りに受皿をはめ込み、その受皿の一番下の部分にホースを取付け、漏れた燃料がそのホースを伝わりジュースの空き缶等の容器で受け止めるようにする燃料タンク油汚れ止めである。
(57)【要約】
【課題】　一般家屋内での夜間の行動が安全、確実にとれ、低消費電力の経済的且つ操作の簡単な足下照明。
【解決手段】　一般家屋内に具備した電気コンセントに本考案に基づく器具の電気プラグを挿入すると機器内の電気回路が働き具備した高輝度発光ダイオードが点灯し照明する、着脱式であるから希望する随所に設置でき、超低消費電力且つ超長寿命の光源であるから挿入し放しでも電気コストは無視できる程である。
【選択図】　　　　　図６
0003100244.tif 000002
【実用新案登録請求の範囲】
【請求項１】
１　筐体内に設けられた高輝度発光ダイオードとこれに通電するため電気プラグを筐体正面に設け。
２　電気プラグから交流い１００Ｖ電源の一端を器具の安全のためのヒューズを通しＡＣ電圧降下部で電圧を降下させる。
３　その交流電圧を整流して直流とするためにダイオードブリッジの一端に接続させる、なお交流１００Ｖ電源の他の一端はダイオードブリッジの交流側の他端に接続される。
４　ダイオードブリッジで整流された直流電圧のプラス側を定電圧回路に導き、更に発光ダイオード点灯用の電流制限抵抗を経て発光ダイオードに所定の直流電流が与えられる。
５　定電圧部のマイナス側並びに発光ダイオードのマイナス側はダイオードブリッジの直流マイナス側端子に全て接続される。
【考案の詳細な説明】
【考案の詳細な説明】
【技術分野】
【０００１】本考案は高輝度発光ダイオードを照明光源とする低消費電力の着脱式足下照明灯である。
【背景技術】
【０００２】従来の足下照明灯は建築物の予め決められた位置に固定されて設置されており、その殆どが光源に電球を用いている。
【考案が解決しょうとする課題】
【０００３】我が国では老齢人口の増加が著しく、これに伴って老人の日常生活の問題がクローズアップされてきた、老人の体の常として夜間に寝起きする回数が増えると共に暗闇での行動は、平衡感覚の衰えもあって転倒などの危険が付きまとう。然るに一般の家屋では足下照明を具備している例は極めて少なく、付けようとする場合は設計段階から位置などを考慮する必要がある、又改造によって設備する際は相当の経費も掛かりその上諸々の制約を受ける。
【課題を解決するための手段】
【０００４】本考案は一般家屋の壁面下部に設備されているコンセントに本器が具備する電気プラグを挿入すると、筐体内部の電気回路が働き高輝度の発光ダイオードが点灯する、着脱式であるから照明を必要とする好みの場所に設置出来るのと、高輝度の発光ダイオード一個の点灯で済むから消費電力が極端に少なく四六自中点灯しておけるし、その上発光ダイオードは超長時間の寿命を持っているから電球のように球切れ交換の煩わしさから解放される。
【考案を実施するための最良の形態】
【０００５】本考案による器具には筐体平面に発光ダイオードの開口部を囲う形でフードが具備されているので、通常使用の場合は平面を上にして電気プラグをコンセントに差し込めば即時周囲を照明する、又寝室で使用の場合はフードの付いた平面を下にしてコンセントに差し込むと、フードの働きで光りの散乱を押さえ睡眠の妨げを防げる。なお昼間電気掃除機などを使用したい時はコンセントから本器を外し、終了後元に戻せば再び足下照明灯として働く。
【実施例】
【０００６】上述の考案の実施の形態で述べたとおり。
【考案の効果】
【０００７】本考案は高輝度発光ダイオード一個を光源とする足下照明灯のため、一般家屋の壁面に設けられたコンセントを利用し照明を希望する箇所、例えば玄関口、階段上下、寝室。洗面トイレ、廊下などに複数個設置でき、しかも超低消費電力であるから四六時中点灯しておいても電気料金への考慮は要らない、又夜間外出から帰宅の際も光源スイッチを手探りで探す煩わしさもなく、特に火災、地震などの緊急時の初期動作に慌てることもなく落ち着いて行動できる。
【図面の簡単な説明】
【図１】本装置の電気プラグを具備した面の正面図である。
【図２】本装置の背面図である。
【図３】本装置をコンセントに差し込む状態を右真横から見た側面図である。
【図４】本装置をコンセントに差し込む通常状態を上から見た平面図である。
【図５】本装置の図４の状態を下から見た底面図である。
【図６】本装置全体の斜視図である。
【符号の説明】
１　電気プラグ
２　高輝度発光ダイオード
３　フード
４　筐体
【図１】
0003100244.tif 000003
【図２】
0003100244.tif 000004
【図３】
0003100244.tif 000005
【図４】
0003100244.tif 000006
【図５】
0003100244.tif 000007
【図６】
0003100244.tif 000008
【手続補正書】
【提出日】平成15年10月14日(2003.10.14)
【手続補正１】
【補正対象書類名】実用新案登録請求の範囲
【補正対象項目名】全文
【補正方法】変更
【補正の内容】
【実用新案登録請求の範囲】
【請求項１】
　筐体正面に着脱用の電気プラグを具備し、その電気プラグから交流１００Ｖ電源の一端にヒユーズを接続し、出力を電源降下部に接続しその出力をダイオードブリッジの交流入力の一端に接続させ、且つ交流１００Ｖ電源の他端はダイオードブリッジの交流他端に接続させ、ダイードブリッジの直流プラス側を定電圧回路に導き、その出力を直流制限抵抗器を経て高輝度発光ダイードのアノードに接続し、そのカソードはダイオードブリッＴジのマイナス側に接続される、高輝度発光ダイオードの光源は筐体中央部に設けられた穴部ヨリフードに囲われ照射される着脱式足下照明灯。
(57)【要約】【課題】本考案は灯油タンク等から灯油を小分けする時に、入れすぎによる灯油もれを防ぐものである。【解決手段】本考案は、取り付けリング１、取り付けねじ２、取り付け密着ダイヤル３、で灯油タンク等の排出口に取り付け、給油口８の下へポリタンク等の給油口を合わせ、本体６についているセットダイヤル４をポリタンク等の容量に合わせ灯油タンク等に付いているバルブを開くと変更した羽車、図５が回りそれにより変更したギヤ、図３が回りセットダイヤルが“止”の方向に回り、規定の量が給油されるとセットダイヤルが“止”の位置で止まり同時に給油も止まる。その結果例えその場所を離れていても灯油漏れ事故防止を解決できるものである。【選択図】　　図１
0003100243.tif 000002
【実用新案登録請求の範囲】
【請求項１】
風呂へ水道水から給水する時に使用される計量器を改造して灯油タンクからポリタンク等へ給油出来る様にした物です。
【考案の詳細な説明】
【００１】
【考案の属する技術分野】
本考案は、水道用計量器自体が水道用に出来ており本体、その他部品、パッキン等灯油に耐えられる敵宣素材に変更し又、屋外での使用頻度が高いと思われる為、外形を金属保護等で保護し太陽光による劣化を防ぎ、本来等装置は大量の水量を計量する為の物なのでギヤ数を減らしギヤ比を少なくする必要があり、灯油タンクからの給油は水道水と違いゴミ等が混入しギヤに挟まり、回転しなくなる恐れがあるのでフィルターの追加又、灯油タンクからの油圧は水道水と違い圧力が低い為、時には羽車が回らない恐れが有り得るので羽車の形状を灯油の受けやすい形状に変更して、ダイヤルの目盛りも少量用に変更し少量の流量計測を可能とし灯油漏れ事故を防ごうとしたものです。
【００２】
【従来の技術】
灯油タンクの給油口からバルブを開けポリタンクに給油していた。
【００３】
【考案が解決しようとする課題】
灯油タンクからポリタンク等に給油時、一杯になるまでは時間が掛かるのでその場を離れがちであり、その結果ポリタンクが一杯になり漏れているのに気付かず灯油を外へ溢してしまい河川等を汚染してしまう。この様な事故の無いように例えその場を離れてもポリタンクに規定の量が入れば自動で給油が止まるように前述の欠点を解決しようとするものである。
【０００４】
【課題を解決するための手段】
灯油タンクの給油口にあるバルブの先に本装置を取り付け、給油しようとしているポリタンク等の容量に合わせて目盛りをセットしバルブを開ければ給油されセットされた量が入れば給油がストップすることにより問題点を解決している。
【０００５】
【考案の実施の形態】
灯油タンクの給油バルブの下のパイプへ本品をセットし４本のねじで固定する。本品の給油口にポリタンク等の容器の口を合わせ、容器の容量にセットダイヤルを合わせ給油バルブを開ける。規定の量が入れば本装置により給油が止まるので給油バルブを閉めポリタンク等を取り出す。
【０００６】
【実施例】
以下、添付図面に従って１実施例を説明する。
但し、下記文章の中での数字は図１を参照
部品は耐油性及び、金属保護等で保護されたプラスチック又は、金属等で適宣素材にて構成されており、本体６に給油調整ダイヤル４が付いておりタンク排出口取りつけネジ２で、タンク排出口に取りつけ、締めつけダイヤル３を回して本体と排出口を密着させる。７から灯油が入り９のフィルターを通過し８からポリタンク等へ給油される。
【０００７】
灯油が給油されると図４から図５に変更された羽車が回転し図２から図３に変更されたギヤが回り、セットダイヤルが“止”の方向に回り規定の量が給油されるとセットダイヤルが“止”の位置で止まり給油がストップする。
【考案の効果】
上述の様に、本考案の灯油小分け計量器は例えその場を離れても規定の量になれば給油が止まるので外へ漏らす流出事故が防げる。
【図面の簡単な説明】
【図１】本考案の灯油小分け計量器の実施例を示す正面図である。
【図２】本考案の灯油小分け計量器の変更前のギヤ側面図である。
【図３】本考案の灯油小分け軽量器の変更後のギヤ側面図。
【図４】本考案の灯油小分け計量器の変更前の羽車図である。
【図５】本考案の灯油小分け計量器の変更後の羽車図である。
【符号の説明】
１取付用リング
２取付ネジ
３取付用密着ダイヤル
４セットダイヤル
５給油ノズル
６本体
７タンクからの給油口
８ポリタンク等への給油口
９フィルター
【図１】
0003100243.tif 000003
【図２】
0003100243.tif 000004
【図３】
0003100243.tif 000005
【図４】
0003100243.tif 000006
【図５】
0003100243.tif 000007
【手続補正書】
【提出日】平成15年10月2日(2003.10.2)
【手続補正１】
【補正対象書類名】明細書
【補正対象項目名】実用新案登録請求の範囲
【補正方法】変更
【補正の内容】
【実用新案登録請求の範囲】
【請求項１】
風呂へ水道水から給水する時に使用される計量器の本体及び部品等を耐油性に変更し又、内蔵されているギヤのギヤ比を少なくし、更に羽車の形状を灯油の受けやすい形に変更し、セットダイヤルの目盛りを書き換えて灯油タンクからポリタンク等へ給油出来る様にした灯油小分け計量器。
【手続補正２】
【補正対象書類名】図面
【補正対象項目名】全図
【補正方法】変更
【補正の内容】
【図１】
0003100243.tif 000008
【図２】
0003100243.tif 000009
【図３】
0003100243.tif 000010
【図４】
0003100243.tif 000011
【図５】
0003100243.tif 000012
(57)【要約】
【課題】　経糸を拾った綜絖を垂環状に掛けることが容易で、掛けられた綜絖糸が確実にその位置を保持し得るとともに、綜絖の昇降動が容易で、かつ種々の組織の織物を織る場合にも好適した、綜絖糸掛止体を得る。
【解決手段】　内部に固着部分を形成した棒体８と、この固着部分に固着した適数個の通孔１０を設けたゴ厶からなる板体９とよりなる。
【選択図】　図３
0003100269.tif 000002
【実用新案登録請求の範囲】
【請求項１】
　内部に固着部分（３、４）を形成した棒体（１）と、該固着部分（３、４）に固着したゴム、発泡プラスチック等の弾性を有する長四角形状の板体（５）とよりなる垂環綜絖における綜絖糸掛止体。
【請求項２】
　板体（９）に一端から他端にわたって、所要ピッチに適数個の通孔（１０）を設けてなる請求項１記載の綜絖糸掛止体。
【考案の詳細な説明】
【考案の詳細な説明】
【技術分野】
【０００１】　本考案は手織機における垂環綜絖に係るものであり、詳しくはあらかじめ張り渡された経糸を拾ってこれを掛けた綜絖糸を掛け止めする、綜絖糸掛止体に関する。
【背景技術】
【０００２】　従来、この種の綜絖糸掛止体としては、長手方向に沿う一端縁に、綜絖糸を固着するための固着手段として、所要ピッチにスリットを設けた綜絖棒が知られている。（例えば、実願平４−６３２７７号公報参照）
　また一般に、綜絖棒に綜絖糸をいちいち絡み付けることによって、垂環綜絖を形成するものが知られている。（上記公報参照）
【考案が解決しようとする課題】
【０００３】　従来の技術で述べたもののうち前者においては、綜絖糸の掛け止め手段がスリットであるため外れ易く、その位置を保持し得ない重大な欠点を有していた。
そしてこの傾向は、綜絖棒が丸棒状である場合にいっそう大きく、また綜絖棒の中心を摘んでこれを昇降動することによってもその傾向を大きくしていた。
　また掛け止めされた綜絖糸の位置を正しく保持し得ないということは、これによって種々の組織のものを織る（以下、組織織と表現する）場合には、きわめて不具合で不可能でさえあった。
　さらに問題点として、綜絖棒を摘んで昇降動するとき、綜絖糸が邪魔になって摘み難いという欠点もあった。
　また問題点として、固着手段としてスリットを設けた綜絖棒においては、手織者がピッチを任意に変更することが不可能で、創作的な織物を織るものとしては必ずしも向いているものではなかった。
　次に後者においては、綜絖糸をいちいち綜絖棒に絡みつけるものであるため、この作業は面倒で、初心者には受け入れられ難いものであった。
【０００４】　本考案は、従来の技術の有するこのような問題点に鑑みてなされたもので、その目的とするところは、綜絖取り（以下、張り渡された経糸を拾ってこれを掛けた綜絖糸を掛け止めすることを綜絖取りと表現する）が容易で、掛けられた綜絖糸が確実に位置を保持し得るとともに、昇降動し易く、組織織および創作的な織物を織る場合にも好適した、優れた綜絖糸掛止体を提供しようとするものである。
【課題を解決するための手段】
【０００５】　上記目的を達成するために、本考案における綜絖糸掛止体は、内部に固着部分を形成した棒体と、この固着部分に固着したゴム、発泡プラスチック等の弾性を有する長四角形状の板体とよりなるものである。
【０００６】　また上記目的を達成するために、本考案における綜絖糸掛止体は、棒体に固着された板体に、一端から他端にわたって、所要ピッチに適数個の通孔を設けてなるものである。
【０００７】　綜絖糸掛止体は、あらかじめ張り渡された経糸（Ａ）を綜絖糸（Ｂ）に拾って、この綜絖糸を端から順次に板体に通し、垂環状に垂れ下げることによって使用される。（図５参照）
　この場合の綜絖糸には、縫い針等の針を付けたものが使用される。
　掛け止めされた綜絖糸は、周囲が閉鎖された穴孔であることによって、垂直方向および水平方向の位置関係が確実に保持される。また板体にゴム、発泡プラスチック等の弾性を有する素材が用いられるものであるから、その摩擦力によって綜絖糸の垂直方向へのズレも防止される。
【考案を実施するための最良の形態】
【０００８】　考案の実施の形態を、実施例にもとづき図面を参照して説明する。
　図１と図２は１の実施例を示すもので、木からなる直径１０ｍｍ、長さ２００ｍｍの棒体１であって、この棒体１の内部、即ち仮想軸線２に沿った内部に、固着部分３、４をそれぞれ形成している。
　また厚さ１ｍｍ、幅２０ｍｍ、長さ１５０ｍｍの、ゴムからなる弾性を有する長四角形状の板体５であって、この板体５の一縁近傍かつ両面の取付面６、７を、上記棒体１の固着部分３、４に、接着剤によってそれぞれ固着している。
　この場合の固着部分３、４は、棒体１をいったん縦方向に分割することによって形成される。
　またこの実施例における板体５は、ゴム板で作られるが、摩擦力が大きいことの外、針が通し易く破損し難い素材が選ばれている。なお板体５は、ゴムに代えて発泡プラスチック等が用いられてもよいものである。【０００９】　図３と図４は他の実施例を示すもので、この実施例においても上記１の実施例と全く同様に作られる。
　ただしこの実施例においては、棒体８に固着された板体９に、一端から他端にわたって５ｍｍのピッチに適数個の通孔１０を設けている。この場合の通孔のピッチは、経糸のピッチ（２．５ｍｍ）に対応させていることは言うまでもない。
【考案の効果】
【００１０】　本考案は、上述のとおり構成されているので、次に記載する効果を奏する。
【００１１】　請求項１の綜絖糸掛止体においては、殊に針を通し易いゴムからなる板体に直接針を挿入して綜絖糸を掛け止めするものであるから、綜絖取りが容易で、掛けられた綜絖糸が確実に位置を保持し得るとともに、昇降動し易く、組織織および創作的な織物を織る場合にも好適して使用することのできる、優れた綜絖糸掛止体を得る効果がある。
【００１２】　請求項２の綜絖糸掛止体においては、ゴムからなる板体にあらかじめ所要ピッチに通孔が設けられるものであるから、綜絖取りがいっそう容易で、掛けられた綜絖糸が確実に位置を保持し得るとともに、昇降動し易く、組織織を織る場合に好適して使用することのできる、優れた綜絖糸掛止体を得る効果がある。
【図面の簡単な説明】
【図１】　経糸掛止体の１の実施例を示す正面図である。
【図２】　同じく１の実施例を示す拡大側面図である。
【図３】　経糸掛止体の他の実施例を示す正面図である。
【図４】　同じく他の実施例を示す拡大側面図である。
【図５】　経糸掛止体に綜絖糸が掛け止めされた状態を示す説明図である。
【符号の説明】
　　　１、８　棒体
　　　　　２　仮想軸線
　　　３、４　固着部分
　　　５、９　板体
　　　６、７　取付面
　　　　１０　通孔
　　　　　Ａ　経糸
　　　　　Ｂ　綜絖糸
【図１】
0003100269.tif 000003
【図２】
0003100269.tif 000004
【図３】
0003100269.tif 000005
【図４】
0003100269.tif 000006
【図５】
0003100269.tif 000007
(57)【要約】　　　（修正有）【課題】犬の排便の姿勢にあわせ犬の尻の下に差し出して糞を収納し、手をよごさず、路上をよごさず、周辺の人に迷惑をかけずに糞の処理ができ、犬と楽しい散歩ができる便利な犬の糞とり容器を提供する。【解決手段】長方形のボール紙板１の一端に穴２設け、その穴の下部周辺に袋３を設け、ボール紙板の上部の一端に両面接着テープを装着したことを特長とする。【選択図】図１
0003100206.tif 000002
【実用新案登録請求の範囲】
【請求項１】
長方形のボール紙板（１）の一端に穴（２）を設け、その穴の下部周辺に袋（３）を設け、ボール紙板の上部の一端に両面接着テープ（４）を装着した犬の糞とり容器。
【考案の詳細な説明】
【産業上の利用分野】
【０００１】この考案はボール紙板に穴をあけ、その穴の下部周辺に袋を設けて使用し犬の糞を収納後にボール紙板の穴部を半分に折り両面接着テープで穴をふさいで使用する犬の糞とり容器。
【背景技術】
【０００２】従来、犬の糞をかたずけるためには、シャベルで糞をすくって袋に収納したりティッシュペーパーでとって袋に収納したりしていた。
【考案が解決しようとする課題】
【０００３】これは次ような欠点があった。
（イ）　　　シャベルでは糞をかたずけたあとに路上に糞がついてしまう。
（ロ）　　　ティッシュペーパーも同様であり　かつ糞が水便の場合はとくにめんどうになる。
【課題を解決するための手段】
【０００４】この考案を解決するために、次のような構成をしている。
長方形のボール紙板（１）の一端に穴（２）を設け、その穴の下部周辺に袋（３）を設け、ボール紙板の上部の一端に両面接着テープ（４）を装着した。
本考案は以上のような構成よりなる犬の糞とり容器である。
【作用】
【０００５】犬が排便の姿勢をしたとき、すばやく犬の尻の下に長方形のボール紙板（１）の穴（２）をさしだし糞を袋（３）で受け止める。糞を収納したのちボール紙板の穴（２）を半分に折り両面接着テープ（４）で穴（２）をふさぐ。
これにより犬の糞がかたくとも、やわらかくとも手をよごさずに収納でき臭いも出さずに持ち帰ることができる。
【実施例】
【０００６】以下、本案の実施例について説明する。
（イ）長方形のボール紙板（１）の一端部の穴（２）を設け、その穴の下部周辺に袋（３）を設け、ボール紙板の上部の一端に両面接着テープを装着する。
本案は以上のような構造で、これを使用するときは、犬が排便の姿勢をしたとき、すばやく犬の尻の下に長方形のボール紙板（１）の穴（２）を差し出し糞を袋（３）で受け止める。糞を収納したのちボール紙板の穴（２）を半分に折り両面接着テープ（４）で穴（２）をふさぐ。
【考案の効果】
【０００７】犬と楽しく散歩をするには、糞の処理はさけてとおれません。糞をすばやく、手をよごさず路上をよごさずに、周辺の人にも迷惑をかけないで処理ができるのできわめて効率がよく便利である。
【図面の簡単な説明】
【図１】本考案の正面図である。
【図２】本考案の側面図である。
【図３】本考案の他の実施例を示す斜視図である。
【符号の説明】
１　　長方形のボール紙板
２　　穴
３　　袋
４　　両面接着テープ
【図１】
0003100206.tif 000003
【図２】
0003100206.tif 000004
【図３】
0003100206.tif 000005
(57)【要約】
【課題】　シェードの着脱が容易なインテリアの灯りの装置の提供。
【解決手段】シート状のシェードを保持するための支柱の先端に取り付けられた強磁性体からなるベース（支持面）と、それに適合するサイズのボタン形の永久磁石を利用し、磁石の磁力によってシェードを保持し、固定することとした。すなわち、４本の支柱の先端の支持面にシェードを置き、その部分を磁石で押さえることによってシェードが所要の形状を保ってしっかりと固定される。
【実用新案登録請求の範囲】
【請求項１】
　シート状のシェードを光源から一定の間隔をもって保持するための支柱の先端に取付けられた強磁性体からなるベース（支持面）と、それに適合するサイズの永久磁石を利用し、磁石の磁力によってシェードを固定することを特徴とした、インテリア空間のための灯りの装置。
【考案の詳細な説明】
【技術分野】
【０００１】
　本考案はシェードを簡単に取り替えることができる室内壁面用の照明装置に関するもの
である。
【背景技術】
【０００２】
　従来市場にある照明具は直接、間接を問わず目的が固定された商品として完成したもの
がほとんどで、ユーザーとしては「既製品のなかから選ぶ」という行為以外に自分の感性
を満たす方法がなかった。「あかり」はきわめてメンタルな機能を持つ装置であるにもか
かわらず現実にはメーカーの押しつけに従わざるを得ないのが現状である。
【考案の開示】
【考案が解決しようとする課題】
【０００３】
　本考案は、上記従来型装置の有する問題点を解消するとともに、生活空間における個々
人の感性重視のライフスタイルの実現を可能にする「灯りの装置」を提供することを課題
とする。
【課題を解決するための手段】
【０００４】
　本考案は、上記課題を達成するために、シェードの制作が容易であり、又それの取り付
けがきわめて簡単にできる方法として、シェードの着脱に永久磁石を採用して着脱自在方
式とする。また装置全体を３種９点〜４種１１点という少品種、少数の部品による組み立
て式とする。
【考案の効果】
【０００５】
　透光性のあるシート状のシェードすべてに適用することができる。すなわち、オリジナ
ル手漉き和紙をはじめ墨象、篆刻、水墨画、水彩画、ちぎり絵、押し花絵、グラフィック
アートなど多様な「あかりのアート」を時に応じて容易に楽しむことができる。
　このことは日本の伝統的な生活文化のひとつである床の間、掛け軸のライフスタイルを
今日的な生活空間に生かすことにもなり、一般ユーザーがそれぞれの意志や感性で生活空
間を豊かに演出することが可能な、鑑賞と実用という従来にない全く新たな作用効果を提
供するものである。
【考案を実施するための最良の形態】
【０００６】
　本考案による装置は、中心部に光源を備えた本体、シェードのサイズに対応して所定
の位置にセットされる４本の支柱およびシェードを固定するための４個の永久磁石によっ
て構成される。４本の支柱は光源から一定の間隔をとってシェードを保持するもので、支
持面には強磁性体からなるベースが取り付けられている。ベースの取り付け角度は支柱軸
に対して直角を原則とするが、所要の角度をつけてシェードを湾曲面（１次曲面）に形成
することも可能である。
　本考案による装置は壁面に固定して設置するほかに、壁面に接して自由な位置にセット
する、つり下げ式にすることもできる。
　電源コードの配置は、本装置を壁面固定用とするか、可動式のつり下げタイプとするか
で任意に選択されるものとする。
　光源は、現段階では１００〜１１０ボルトの白熱電球又は白色蛍光灯が適当である。
【実施例１】
【０００７】
　図１はシェードの保持機構の説明図である。
【０００８】
　図２は組み立て式の木製フレームを母体として構成された本装置の見取り図で、シェー
ドを平面状に形成したものである。
【実施例２】
【０００９】
　図３は平面パネルを母体として形成された本装置の見取り図で、シェードを曲面状に形
成したものである。
【産業上の利用可能性】
【００１０】
　永久磁石を利用してシェードを容易に着脱することができるので、鑑賞の対象としての
シェードのほかに更新頻度の高さが求められる場合の視覚情報の伝達手段としてなど、広汎な利用の可能性がある。
【図面の簡単な説明】
【００１１】
【図１】シェードの着脱が容易なインテリアの灯りの装置における保持機構（支柱）　　　　の説明図である。（実施例１および実施例２）
【図２】シェードの着脱が容易なインテリアの灯りの装置の実施方法を示した説明図である。（実施例１）
【図３】シェードの着脱が容易なインテリアの灯りの装置の実施方法を示した説明図である。（実施例２）
【符号の説明】
【００１２】
　１  永久磁石
　２　強磁性体からなるシェード支持面
　３　支柱
　４　埋め込みナット（支柱取付け用）
　５　シェード
　６　光源
　７　電源コード
　８　木製フレーム部材１
　９　木製フレーム部材２
１０　木製フレーム組み立て金具
１１　パネル状照明基盤
【図１】
0003100299.tif 000002
【図２】
0003100299.tif 000003
【図３】
0003100299.tif 000004